(57)【要約】【課題】医療装置を、例えばレールあるいはポールのような装着装置に固定する装置用インタフェースシステムや、インタフェースと結合した計器と外部装置との間で電力および電気通信を提供する計器ドッキング装置に使用するドッキングタイルを提供する。【解決手段】レールカムとくぼみとを有するハウジングと、少なくとも１個の電気ポートとを有する計器を受け入れるドッキングタイルにおいて、プレートと、該プレートに装着され、そこからある距離を離隔されたレールであって、ハウジングのくぼみとレールカム内で装嵌する寸法とされているレールと、プレートに固定された少なくとも１個の信号ポートであって、その一部がそこから前方に突出し、レールがハウジングのくぼみとレールカム内にあると、少なくとも１個のハウジングの信号ポートと結合するように整合され、更に信号源とインタフェースするためにそこから後方へ突出した部分を有する信号ポートとを含む。【選択図】図２
2011104409.tif 000002
【特許請求の範囲】
【請求項１】
レールカムとくぼみとを有するハウジングと、少なくとも１個の電気ポートとを有する計器を受け入れるドッキングタイルにおいて、
プレートと、
前記プレートに装着され、そこからある距離を離隔されたレールであって、前記ハウジングのくぼみとレールカム内で装嵌する寸法とされているレールと、
前記プレートに固定された少なくとも１個の信号ポートであって、その一部がそこから前方に突出し、前記レールがハウジングのくぼみとレールカム内にあると、少なくとも１個のハウジングの信号ポートと結合するように整合され、更に信号源とインタフェースするためにそこから後方へ突出した 部分を有する信号ポートとを含むことを特徴とするドッキングタイル。
【請求項２】
少なくも１個のタイルの信号ポートと外部の電気装置との間の電気連通を提供する電気回路を更に含むことを特徴とする請求項１に記載のドッキングタイル。
【請求項３】
前記少なくとも１個のタイルの信号ポートが電力取入れ口であることを特徴とする請求項２に記載のドッキングタイル。
【請求項４】
前記電気回路が、付勢すると、電力取出し口へ電力を送る磁気リレーを含むことを特徴とする請求項３に記載のドッキングタイル。
【請求項５】
少なくとも１個のタイルの電気ポートがデータ通信ポートであることを特徴とする請求項２に記載のドッキングタイル。
【請求項６】
前記データ通信ポートがＩＲポートであることを特徴とする請求項５に記載のドッキングタイル。
【請求項７】
ポールクランプ用くぼみを備えた背面パネルを有する計器ハウジングの一部を形成するポールクランプ組立体であって、前記計器ハウジングをポールに固定するポールクランプ組立体において、
後退位置と延長位置との間で移動可能な枢動部材と、
軸線を有するポストであって、軸線方向に移動するように枢動部材に装着され、前記枢動部材が後退すると、前記ポストの軸線が前記背面パネルに対して概ね平行となり、前記枢動部材が延長すると、前記ポストの軸線が前記背面パネルに対して概ね垂直となるように前記枢動部材に装着され、前記枢動部材が後退位置にあると、前記ポストの一部が前記ポールクランプのくぼみ内に位置するポストとを含むことを特徴とするポールクランプ組立体。
【請求項８】
前記ポールクランプ用くぼみが全体的に弧状の面によって画成され、前記ポストが、
ねじを切ったスタッドと、
前記の弧状面の湾曲形状と概ね適合するような形状とされた、両側の湾曲した側部を有するハンドルであって、前記枢動部材が後退すると、前記ハンドルの一部が前記ポールクランプ用くぼみ内に位置するように前記スタッドの一端に位置しているハンドルとを含むことを特徴とする請求項７に記載のポールクランプ組立体。
【請求項９】
前記ハンドルが更に両側の丸みをつけた縁部を含み、前記の丸みをつけた縁部のいずれかに力を加えると、前記ハンドルの湾曲した側部の一方がポールクランプ用くぼみを画成している弧状面と整合するように前記ハンドルが回されることを特徴とする請求項８に記載のポールクランプ組立体。
【請求項１０】
前記背面パネルに装着されたブラケットを更に含み、前記ブラケットがスタッド用くぼみを有し、前記枢動部材が第１の脚と第２の脚とを有する全体的にＬ字形のアームを含み、前記第１の脚が枢動するように前記ブラケットに装着され、前記第2の脚が前記スタッドを受け取るようにされ、前記第２の脚が、前記スタッドの一部が前記ブラケットのスタッド用くぼみ内に位置するように前記ポールクランプ用くぼみの近傍の領域まで延びるよう前記第１の脚に対して位置されていることを特徴とする請求項８に記載のポールクランプ組立体。
【発明の詳細な説明】
【技術分野】
【０００１】
本発明は、一般に医療装置用インタフェースシステム（interface system）に関し、特に、医療装置を、例えばレールあるいはポールのような装着装置に固定するためのインタフェース（interface）に関する。本発明は更に、インタフェースに結合された計器（instrument）と外部装置との間の電力および電気通信を提供する計器用ドッキング装置に関する。
【背景技術】
【０００２】
今日の病院環境においては、個々の患者を処置およびモニターする上で、例えば注射ポンプ、点滴ポンプ、生命徴候モニター装置のような多数の医療装置を同時に使用することが一般的である。そのような状況においては、計器（instrument）は典型的に患者の近くに位置した装着装置に固定される。通常使用されている装着装置は標準的な高さおよび深さ寸法を有する装着レールあるいはバーである。典型的には、そのようなレールは様々な高さで病室の壁に装着されたり、病室の全長に亘り延在している。壁とレールの裏側との間に取付け装置を位置させうるようにレールはスペーサによって壁から外方に離隔されている。医療装置を装着レールに固定するための典型的な装置はＬ字形ブラケットおよびねじクランプである。Ｌ字形ブラケットは頂部の近傍で計器の裏側に装着されており、計器がレールに装着されると、ブラケットが頂部に載置され、レールの裏側を下方に延びるようにＬ字形ブラケットは位置されている。ねじクランプは計器の後側に位置され、締め付けられるとねじがレールの裏側に対して締め付けるように位置している。この装着装置は、典型的には手を楽に動かすには小さすぎる空間においてクランプねじを回す必要があるという点で若干不便である。
【０００３】
別の一般的な装着装置は、自立型のポール（pole）あるいは患者のベッドに付属したもののようなポールである。ポールクランプ（pole clamps）が一般に使用され、かつ医療装置の裏側にしっかりと取付けられてきた。しかしながら、所定位置から動かしうるような構成とされないと、それらは計器の他の装着装置と干渉する可能性がある。そのような固定クランプでは、クランプの突出により計器の取り扱いや、収納においても不便となりうる。したがって、当業者では融通性のあるポールクランプの必要性が認識されてきた。
【０００４】
医療装置が装着装置に適正に固定されると、計器を電気コンセント（取出し口）（power outlet）に接続する必要がある。このために、個々の各計器のそれぞれ個々の電気コードが壁に位置した電力取出し口あるいは多数の電力取出し口を有する電源延長コードに差し込まれる。このように電気接続すると、ケーブルが縺れて、そのため個々のケーブルをその関連の取出し口まで辿り、その後個々の計器を動かすのを困難にする。また、多数の計器を受け入れるために電源延長コードを使用するのは電力取出し口を過負荷にしかねないという点で安全上の問題が生じる。更に、病院の床に敷設されているケーブルが多くなればなるほど、患者あるいは看護人に纏わりつく危険性が高くなる。電気コードの他に、殆どの医療装置はまた、コンピュータのような外部の装置とのデータ通信接続を必要とし、あるいは収容することができる。個々のデータ通信ケーブルを各装置に接続することはまた、前述の問題や困難さを増大させる。
【０００５】
従って、当業者は計器を装着レールあるいはポールに装着することのできるインタフェース（interface）の必要性を認識してきた。この必要性はまた、複数の計器を受入れ、個々のケーブルを介するのではなくて、代わりにドッキングステーションを介して計器に電力および通信信号を提供することのできるドッキングステーションについても認識されてきた。本発明はこれら、およびその他の必要性を満足させるものである。
【発明の概要】
【発明が解決しようとする課題】
【０００６】
簡単にかつ一般的な用語で述べれば、本発明は医療装置を、例えばレールあるいはポールのような装着装置に固定する装置用インタフェースシステムを指向する。本発明は更に、インタフェースと結合した計器と外部装置との間で電力および電気通信を提供する計器ドッキング装置を指向する。
【課題を解決するための手段】
【０００７】
第１の局面において、本発明は計器ハウジングをある面に装着された装着レールに固定するために計器ハウジングの一部を形成するインタフェースに関する。前記インタフェースは背面パネルと、該背面パネルから後方へ突出した第１の部分と、前記の突出部分が有する第一のくぼみとを含む。この第一のくぼみは装着レールを受入れるようなサイズとされている。前記インタフェースは更に、前記の突出部分内で回転可能に取り付けられたレールカムを含む。レールカムは第一のくぼみと整合して装着レールを受取り、かつ保持する。
【０００８】
前記インタフェースの詳細な局面において、前記の突出部分は前記第一のくぼみ内に部分的に位置する円形の切り欠き部を有し、レールカムは前記第一のくぼみと概ね準面一の面を有する円形カムベースを含む。前記ベースは円形の切り欠き部内で枢動するように取り付けられている。レールカムは更に、カムベースの周囲の近傍で２個の対向するアームを含む。前記アームはカムベースの面に対して概ね垂直に延び、各アームはロック面を画成するアームベースを有している。前記アームは、２個のロック面の間の距離が装着レールを受け入れるに十分大きいようにカムベースに位置されている。前記インタフェースの更に別の詳細局面において、各アームは更に、レールカムを装着レールに挿入している間装着レールと接触し、装着レールとの接触力をカムベースに転移させてその中でレールカムの回転を導くようにする案内部分をアームベースの頂部において含んでいる。
【０００９】
別の詳細局面において、装着レールはある高さと深さとを有し、各レールカムアームの案内部分はアームベースの外周の近傍の第１の高さからアームベースの外周に対して内方の第２の高さまで下方に傾斜した第１の部分を含む。第２の高さは第１の高さよりも小さい。前記案内部分は更に、第１の部分と隣接しかつロック面の上方でアームベースから外方に延びた第２の部分を含む。カムベースと前記第２の部分の底との間の距離は装着レールの深さよりも僅かに大きく、対向する第２の部分の端部の間の距離は装着レールの高さよりも小さい。
【００１０】
更に別の詳細局面において、第１のくぼみは少なくとも一つの概ね平坦な頂面と弧状頂面とによって画成された頂部分を含み、前記の弧状頂面は更に円弧状の頂部分を画成している。第１のくぼみは少なくとも１個の概ね平坦な底面と弧状の底面とによって画成された底部分を含み、該弧状底面は更に、円弧状の底部分を画成している。レールカムは、その間前記アームの一方の第２の部分が少なくとも１個の底面の上方に位置し、他方のアームの第２の部分が少なくとも１個の頂面の下方に位置する閉鎖／ロック位置を有し、レールカムは、その間前記アームの一方の第２の部分が少なくとも１個の底面の下方に位置し、他方のアームの第２の部分が少なくとも１個の頂面の上方に位置している開放／解放位置を有している。
【００１１】
第２の局面において、本発明は少なくとも一個の信号用ポートを有するケーシングと、前記ケーシングのくぼんだ部分内に装着された装着レールとを有するドッキングステーションに計器を固定するためのインタフェース装置に関する。インタフェース装置は、計器を収容する計器ハウジングの一部を形成する背面パネルと、該背面パネルから後方へ突出した第１の部分と、前記突出部分が有する第１のくぼみとを含む。第１のくぼみは装着レールを受け入れるようなサイズとされている。前記インタフェース装置は更に、前記の突出部分内に回転可能に装着され、前記第一のくぼみと整合して、前記装着レールを受け入れかつ保持するレールカムと、前記第１の部分が有する少なくとも１個の第１の部分の信号ポートとを含む。前記第１の部分は、レールカムが装着レールを受取るように位置され、少なくとも１個の第１の部分の信号ポートが少なくとも一個のケーシングの信号ポートと相補関係で整合するようにケーシングのくぼみ部分内で装嵌するような寸法とされている。
【００１２】
詳細局面において、インタフェース装置は更に、第１と第２の部分の近傍に位置されたポールクランプ組立体を含む。該ポールクランプ組立体は後退位置と延長位置との間で移動可能な枢動部材と、軸線を有するポストとを含む。このポストは軸線方向に移動するように前記枢動部材に装着され、前記枢動部材が後退すると、前記ポストの軸線が背面パネルと概ね平行になり、前記枢動部材が延長すると、前記ポストの軸線が前記背面パネルに対して概ね垂直となるように前記枢動部材に装着されている。別の局面において、少なくとも１個の第１部分の電気ポートは電力取入れ口（a power inlet）を含み、少なくとも１個のケーシングの電気ポートは電力取出し口（a power outlet）を含む。更に詳細な別の局面において、ケーシングは、付勢する時電力取出し口側への電力の供給を制御するリレーを含み、前記第１の部分は、該第１の部分がケーシングのくぼんだ部分内に位置する時、磁石がリレーを付勢させるように位置した磁石を含む。更に別の局面において、少なくとも１個の第１の部分の電気ポートはデータ通信ポートを含み、該データ通信ポートがＩＲポートからなり、ケーシングと前記第１の部分は複数の相補的な信号ポートを含む。
【００１３】
第３の局面において、本発明は、ある高さと深さとを有し、ある面に装着された装着レールに計器ハウジングを固定するために計器ハウジングの一部を形成するレールカムに関する。レールカムはある面を有するカムベースを含む。前記ベースは計器ハウジングの残りの部分に対して枢動するように取り付けられている。レールカムは更に、カムベースの周囲の近傍で２個の対向するアームを含む。前記アームはカムベースの面に対して概ね垂直に延びており、各アームはロック面を画成しているアームベースを有している。アームは、２個のロック面間の距離が装着レールの高さと概ね等しいようにカムベースに位置されている。レールカムは更に、各アームベースの頂部において案内部分を含み、該案内部分はレールカムを装着レールに挿入する間該装着レールと接触し、装着レールとの接触力をカムベースに転移させてレールカムの回転を閉鎖／ロック位置から、その間はレールカムが装着レールを受入れる開放／受入れ位置まで導き、その後カムベースから力を除去してレールカムが開放／受入れ位置から、その間にレールカムが装着レールを保持している閉鎖／ロック位置まで回転しうるようにする。
【００１４】
詳細な局面において、案内部分はアームベースの外周の近傍の第１の高さからアームベースの外周に対して内方の第２の高さまで下方へ傾斜した第１の部分を含む。この第２の高さは第１の高さよりも小さい。前記案内部分は更に、前記第１の部分に隣接し、ロック面の上である距離だけアームベースから外方へ延びた第２の部分を含む。カムベースと前記第２の部分の底部との間の距離は装着レールの深さよりも僅かに大きく、対向する第２の部分の端部の間の距離は装着レールの高さよりも小さい。別の詳細な局面において、レールカムは更に、レールカムに結合されたレバーであって、該レバーの移動によって閉鎖／ロック位置と、その間に装着レールがレールカムから取り外しうる開放／解放位置の間でのレールカムの回転をもたらすレバーを含む。この開放／解放位置は開放／受入れ位置と概ね同じである。
【００１５】
第４の局面において、本発明はレールカムとくぼみとを有するハウジングと、少なくとも１個の信号ポートとを有する少なくとも１個の計器を受け入れるドッキングステーションに関する。ドッキングステーションはケーシングの前部からある距離だけくぼんだ複数の取付け用バーを有するケーシングと、前記取付け用バーに固定されたドッキングタイルと、該ドッキングタイルに装着され、そこからある距離を離隔されたレールとを含む。装着レールはハウジングのくぼみとレールカム内に装嵌する寸法とされている。ドッキングステーションは更に、前記タイルに固定された少なくとも１個の信号ポートを含む。前記ポートの一部は前記タイルから前方に突出し、装着レールがハウジングのくぼみとレールカム内にあるとき少なくとも１個のハウジングの信号ポートと結合するように整合されている。信号ポートは更に、信号源とインタフェースするように前記タイルから後方へ突出している部分を含む。
【００１６】
詳細な局面において、取付け用バーはケーシングの長さに亘って延びる溝を含み、ドッキングタイルは前記溝の長さに亘って調整可能に位置しうる。別の詳細な局面において、ドッキングステーションは更に、ドッキングタイルの後部に装着された電気回路を含む。この電気回路は少なくとも１個のタイルの信号ポートと外部の電気装置との間の電気通信を提供する。更に別の詳細な局面において、複数のドッキングタイルがケーシングの長さに亘って相互に隣接して位置している。ドッキングタイルは標準的な高さを有する複数の計器を装着できるように離隔している。より詳細な局面において、ドッキングステーションは更に、隣接するドッキングタイルの間に位置されることによって非標準的な高さの計器を受入可能なドッキングステーションを提供する離隔プレートを含む。更に別の詳細な局面において、ドッキングステーションは更に、複数のドッキングタイルの各々に信号を提供するベースタイルを含む。 
【００１７】
ドッキングステーションの更に別の局面において、ベースタイルは複数のドッキングタイルの各々に供給すべき外部からの電力を受取る電力取入れ口を含み、ベースタイルは複数のドッキングタイルの各々を外部のコンピュータシステムとインタフェースさせるためのデータ通信ポートを含む。
【００１８】
第５の局面において、本発明はレールカムとくぼみとを有するハウジングと、少なくとも１個の電気ポートとを有する計器受け入れドッキングタイルに関する。ドッキングタイルはプレートと、該プレートに装着され、そこからある距離だけ離隔されたレールとを含む。前記レールはハウジングのくぼみとレールカム内で装嵌する寸法とされている。ドッキングタイルは更に、前記プレートに固定された少なくとも１個の信号ポートを含む。前記ポートの一部はそこから前方に突出しており、レールがハウジングのくぼみとレールカム内にあるとき少なくとも１個のハウジングの信号ポートと結合するように整合している。前記ポートは更に、信号源とインタフェースするように、そこから後方へ突出している部分を含む。
【００１９】
詳細な局面において、ドッキングタイルは更に、少なくとも１個のタイルの信号ポートと外部の電気装置との間の電気通信を提供する電気回路を含む。より詳細な局面において、少なくとも１個のタイル信号ポートは電力取入れ口である。更に別の詳細な局面において、電気回路は、付勢する時、電力を電力取出し口側に送るための磁気リレーを含む。別の局面において、少なくとも１個のタイルの電気ポートはデータ通信ポートで、該データ通信ポートはＩＲポートである。
【００２０】
第６の局面において、本発明はポールクランプ用くぼみを備えた背面パネルを有する計器ハウジングの一部を形成するポールクランプ組立体に関する。ポールクランプ組立体は計器ハウジングをポールに固定するためのものであり、後退位置と延長位置との間で移動可能な枢動部材を含む。ポールクランプ組立体は更に、軸線を有するポストを含む。前記ポストは軸線移動するように枢動部材に装着され、前記枢動部材が後退すると、ポストの軸線が背面パネルに対して概ね平行になり、枢動部材が延長すると、ポストの軸線が背面パネルに対して概ね垂直となるように前記枢動部材に取り付けられている。前記ポストは、前記枢動部材が後退位置にあると、該ポストの一部がポールクランプのくぼみ内に位置するような寸法および方向とされている。
【００２１】
詳細な局面において、ポールクランプ用くぼみは全体的に弧状の面によって画成され、ポストはねじを切ったスタッドと、前記の弧状の面の湾曲形状と概ね適合する形状とされた対向する湾曲した側部を有するハンドルとを含む。前記ハンドルは、枢動部材が後退すると、ハンドルの一部がポールクランプ用くぼみ内に位置するようにスタッドの一端に位置されている。より詳細な局面において、ハンドルは更に、対向した丸みのついた縁部を含み、前記の丸みのついた縁部のいずれかに力を加えると、ハンドルの湾曲した側部の一方がポールクランプ用くぼみを画成する弧状の面と全体的に整合するように回転する。別の詳細な局面において、ポールクランプ組立体は更に背面パネルに装着されたブラケットを含む。該ブラケットはスタッド用くぼみを有し、枢動部材は第１の脚と第２の脚とを有する全体的にＬ字形のアームを含む。この第１の脚は枢動するようにブラケットに装着され、第２の脚はスタッドを受け入れるようにされている。第２の脚は、スタッドの一部がブラケットのスタッド用くぼみ内に位置するようにポールクランプ用くぼみの近傍の領域へ延びるように第１の脚に対して相対的に位置している。
【００２２】
第７の局面において、本発明は、ケーシングの整合部分内に装着された装着レールを有するケーシングを有するドッキングステーションに計器を固定するための装置用インタフェースに関する。本装置用インタフェースは計器を収容するための計器ハウジングの一部を形成する整合部材と、計器ハウジングに回転可能に装着され、装着レールを受入れ、かつ保持するように構成されたレールカムとを含む。整合部材は、レールカムが装着レールを受け入れるように位置するよう整合部分とインタフェースする。
【００２３】
より詳細な局面において、ケーシングの整合部分はある幅を有するくぼみを含み、整合部材は少なくも一部が前記くぼみの幅よりも僅かに小さい幅を有する計器ハウジングから突出している。
【００２４】
本発明のこれら、およびその他の局面は以下の詳細説明および本発明の特徴を例示している添付図面とから明らかとなる。
【図面の簡単な説明】
【００２５】
【図１】各々が医療装置用インタフェースによってドッキングステーションに固定されている複数の医療装置を示す、本発明による医療装置用インタフェースシステムの斜視図である。
【図２】医療装置は取り外した状態で示し、複数のドッキングタイルをその中に位置させたケーシングとベースタイルとを有する図１に示すドッキングステーションの斜視図である。
【図３】レールカム組立体と、ポールクランプ組立体と、電力コネクタと、ＩＲ通信ポートと、計器整合部材とを有する医療装置用インタフェースを該計器の後部に位置させた状態の医療装置の後面斜視図である。
【図４ａ】判り易くするためにレールの一部を破断して示す、レールカム組立体によって装着レールに固定された図３に示す医療装置の斜視図である。
【図４ｂ】計器の電力および通信装置をドッキングタイルのものと適正、かつ自動的に整合させるためドッキングステーションのケーシングの整合用くぼみと相互作用している、図３に示す医療装置の後ろでの整合装着部材の作動を示す平面図である。
【図５】ポールクランプ組立体によってポールに固定された、図３に示す医療装置の斜視図である。
【図６】図２に示すベースタイルの正面図である。
【図７】図２に示すドッキングタイルの１個の斜視図である。
【図８】装着レール、電力コネクタ、信号ポートおよびタイルの後ろに装着された回路カードとを示す、図７に示すドッキングタイルの側面図である。
【図９】図８に示す回路カードの線図である。
【図１０】図２に示すケーシングの一部の斜視図である。
【図１１】図１０に示すケーシングの平面図である。
【図１２】３個のドッキングタイルとベースタイルとを示す、ドッキングステーションの代替的な構成を示す。
【図１３】２個の垂直のケーシングと、該垂直ケーシングの頂部に位置し、かつ係合している相互接続のための水平ケーシングとを示す、ドッキングステーションの別の代替的な構成を示す。
【図１４】スタンドを有するドッキングステーションの別の代替的構成を示す。
【図１５】ドッキングステーションに装着しうる１個またはそれ以上の医療装置によって使用する注入流体を保持するバッグ用支持体を有するドッキングステーションを示す。
【図１６】判り易くするためにレールカムの一部を破断した、医療装置の外側から見た、図３に示す医療装置用インタフェースを示す図である。
【図１７】外部に位置するカム制御レバーに対するレールカムの接続を示し、またレールカムに対するばね弾圧を示す、医療装置の内側から見た、図３に示す医療装置用インタフェースの図面である。
【図１８ａ】図３に示すレールカムの斜視図である。
【図１８ｂ】図３に示すレールカムの斜視図である。
【図１８ｃ】図１８ａおよび図１８ｂに示すレールカムの、平面図である。
【図１８ｄ】図１８ａおよび図１８ｂに示すレールカムの、正面図である。
【図１８ｅ】図１８ａおよび図１８ｂに示すレールカムの側面図である。
【図１９ａ】開放位置における図３に示すポールクランプ組立体の斜視図である。
【図１９ｂ】閉鎖位置における図３に示すポールクランプ組立体の斜視図である。
【図１９ｃ】図１９ａに示すポールクランプ組立体の上面図である。
【図１９ｄ】図１９ｂに示すポールクランプ組立体の上面図である。
【発明を実施するための形態】
【００２６】
同じか、あるいは対応する要素を指示するために同じ参照番号が使用されている、数葉の図面を参照する。図１から図３までにおいて、例えば、注射による注入ポンプ１４および蠕動注入ポンプ１６のような複数の個別の医療装置１２と共に使用する医療装置用インタフェースシステム１０が示されている。図１に示していないその他のタイプの医療装置も本システムに組み込んでもよい。それは例えば血圧および酸素看視装置のようなものである。医療装置１２の各々は各装置の後部に位置した医療装置用インタフェース４８（図３）によってドッキングステーション１８（図２）に取り外し可能に固定される。
【００２７】
ドッキングステーション１８は、図２に示すように、各々がケーシング２４に装着された複数のドッキングタイル２０とベースタイル２２とを含む。各ドッキングタイル２０はプレート２８に装着された装着レール２６を含む。装着レール２６は標準的な高さおよび深さ寸法を有している。プレート２８にはまた、医療装置１２（図３）の後部に位置した相補的な電力およびデータ通信要素とインタフェースする電力取出し口３０およびデータ通信ポート３２も装着されている。ドッキングタイル２０は該ドッキングタイルをケーシング２４に装着するための固定具３４を前記プレート２８の各隅において含む。
【００２８】
ベースタイル２２は各ドッキングタイル２０を外部電源と接続するための主電力取入れ口３６と主オン／オフスイッチ３８を含む。ある実施例においては、ベースタイル２２は更に、ドッキングタイル２０の各々を、例えばコンピュータのような外部のデータ通信装置と接続するためのデータ通信ポート４０を含む。ベースタイル２２は正面のパネル固定具４２を介してケーシング２４に固定されている。ケーシング２４の内部領域およびドッキングタイルプレート２８は該プレートがケーシング内で装嵌するような寸法とされている。
【００２９】
図３を参照すれば、この場合、医療装置１２のハウジングの一部を形成している医療装置用インタフェース（ＭＤＩ）４８は当該医療装置の後部に位置している。計器の装着ケース５０は、その上にＭＤＩ４８が位置している背面パネル７６を有している。ＭＤＩは計器整合装着部材５１を含んでおり、その目的はＭＤＩの他の要素を当該ドッキングステーションあるいは別のドッキングステーションの相補的な要素と自動的に整合させることである。本実施例において、計器整合装着部材５１は第１の部分５２と第２の部分５４とを有し、各々背面パネルから後方へ突出している。第１の突出した部分５２は第１のくぼみ５６を含み、一方第２の突出部分５４は第２のくぼみ５８を含む。各くぼみ５６、５８はドッキングタイル２０の装着レール２６（図２）を受け入れるような寸法とされている。
【００３０】
ＭＤＩ４８（図３）は更に、第１のくぼみ５６内に位置され、その中で回転するよう装着されたレールカム６０を含む。レールカム６０は閉鎖／ロック位置に偏せられている。レールカム６０は対向する２個のアーム６２を含み、該アームは各々ベース７８と、該ベース上の案内部分６４とを有している。各案内部分６４はアームのベース７８上を延びている部分８０を有する傾斜面を有している。アームベース７８は装着レールの高さよりも僅かに大きい距離だけ離隔しており、そのため装着レールはアームの間に装嵌する。延長部分８０の先端の間の間隔は装着レールの高さよりも小さい。
【００３１】
案内部分６４は装着する間装着レール２６の力を受取り、かつ、その間に装着レールがアームベース８０の間の空間に滑り込む開放／受入れ位置までばねの弾圧力（bias）に抗してレールカム６０が回転するようにさせるよう傾斜がつけられている。一旦装着レール２６がレールカム６０内に位置すると、レールカムは閉鎖／ロック位置まで回転して戻る。レールカム６０の閉鎖／ロック位置において、アーム７８の延在部分８０は装着レール２６の後ろに位置されることによって、装着レールをレールカムおよび第１と第２のくぼみ５６、５８内に保持する。
【００３２】
ＭＤＩ４８はまた、装着ケース５０の頂部に位置したレバー６６を含む。前記レバー６６はレールカム６０をばねの弾圧力に抗して閉鎖／ロック位置から、その間医療装置１２が装着レール２６から取り外し可能とされる開放／解放位置まで回転させる。開放／解放位置と解放／受入れ位置とは同一である。この位置は開放／受入れ／解放位置と称されることが多い。ＭＤＩ４８は更に、ドッキングタイル２０（図２）に位置した相補的な電力およびデータ通信要素と連通するように整合される電力取入れ口６８およびデータ通信ポート７０を含む。
【００３３】
ＭＤＩ４８にはまた、医療装置１２をポールに固定するために延長しうるポールクランプ組立体７２も含まれている。ポールクランプ組立体７２はアーム８２とねじを切ったポスト８４とを含む。アーム８２は背面パネル７６に枢着され、開放位置と閉鎖位置との間で動く。ポスト８４はアーム８２に取り付けられ、ポストの軸線に沿って移動するようねじ係合可能に装着されている。ポールクランプ組立体７２は、それが閉鎖されると、ポスト８４が第１と第２の部分５２、５４の間のくぼみに位置するように前記第１と第２の部分５２、５４に対して位置されている。ポールクランプ組立体７２が開放されると、ポスト８４は背面パネル７６に対して概ね垂直となる。この位置において、ポスト８４は、該ポストの先端と裏面パネル７６との間に位置されたポールを締めるように回転しうる。
【００３４】
作動時、図４ａに示すように、第１のくぼみ５６と第２のくぼみ５８とを目で見て装着レール２６と整合させることにより医療装置１２は装着レール２６に固定される。一旦整合すると、レールカム６０は装着レール２６に対して押しつけられる。レールカム６０の案内部分６４に対する装着レール２６の力が、装着レールがアームベース７８の間の空間中へ滑り込むようにレールカムの回転を導く。一旦装着レール２６がレールカム６０内に位置すると、カムはその閉鎖／ロック位置まで戻り、アーム６２の延在部分８０が医療装置１２をレールに対して保持する。装着レール２６がドッキングステーション１８の一部である場合（図２）、医療装置１２の電力取入れ口（図４）およびドッキングタイル２０の電力取出し口３０（図２）が相互に接続される。同様に、２個の構造体の連通ポート３２、７０がインタフェースで接続する。レールカムから医療装置１２を取り外すには、レバー６６を作動させてレールカムを、その間前記延在部分８０が医療装置を装着レール２６に保持しなくなる開放／解放位置まで回転させる。同様に、図４ｂに示すように、医療装置１２は該装置の整合装着部材５１をケーシング２４によって形成されたくぼみに目で見て整合させることによってドッキングタイル２０に固定される。一旦整合すると、レールカム６０は装着レール２６に対して押され、図４ａを参照して前述したように固定される。
【００３５】
代替的に、図５に示すように、医療装置１２はポールクランプ組立体７２を使用してポール７４に取り付けることができる。そうするためには、ポールクランプ組立体７２のアーム８２が開放位置まで枢動される。医療装置１２は、ポールがＭＤＩ４８の第１の部分および第２の部分５２、５４の間の領域に位置するようにポール７４に配置される。次いで、ねじを切ったポスト８４がポストの先端がポールに接触するまで回転させられることによって計器１２をポール７４に締め付ける。
【００３６】
以下はドッキングステーション１８（図２）および医療装置用インタフェース４８（図３）の詳細説明である。
【００３７】
ドッキングステーション
図２を参照して前述したように、ドッキングステーション１８は、各々ケーシング２４に装着された複数のドッキングタイル２０とベースタイル２２とを含む。ベースタイル２２は典型的に、電力およびデータ通信ケーブルと接続しやすくするためにドッキングステーションの底部の近傍に位置される。ドッキングタイル２０は、相互に対して上下に置かれるとか、あるいは並置配置されるとかして、相互に隣接して位置される。ドッキングタイル２０は、組立てられると、標準の高さおよび（または）幅寸法の医療装置１２を受け入れるに十分な距離だけ離隔されるような寸法とされている。非標準寸法の医療装置１２をそれらの間で物理的な干渉がないようにして受入れ可能とするためにそれらの間の距離を増すようタイルスペーサ（図示せず）を隣接するドッキングタイル２０の間に位置させればよい。ドッキングステーション１８は、「ダム（ｄｕｍｂ）」ステーション、すなわち医療装置１２に電力のみを提供するもの、あるいは「スマート（ｓｍａｒｔ）」ステーション、すなわち医療装置に電力とデータ通信の双方を提供するもののいずれかとしうる。図２に示す実施例において、ドッキングステーション１８は垂直のケーシング４４と水平のケーシング４６とを含む。ケーシング４４、４６は垂直ケーシング４４の頂部内に装嵌し、水平ケーシングの後部に固定されたＴ字形片４７によって相互に接合される。水平ケーシング４６の各端には取り外し可能な端キャップ４９がある。
【００３８】
図６に示すように、ベースタイル２２は主電力取入れ口３６と、ドッキングタイル２０の各々を外部の電源とインタフェースさせるためのオン／オフスイッチ３８とを含む。以下説明するように、隣接するタイルによって提供される接続を介してデイジーチェイン方式（a daisy chain manner）で各ドッキングタイル２０に電力が提供される。ベースタイル２２は、それを介してケーシング２４の裏に対してアース接続が行われる接続ポートを含む。スマート・ドッキングステーションにおいて、ベースタイル２２は更に、ドッキングタイル２０の各々を、例えばコンピュータのような外部のデータ通信装置とインタフェースさせるためのデータ通信ポート４０を含む。ベースタイル２２はドッキングステーションに位置した全ての個々のドッキイングタイル２０とのデータ通信を調整する。そのような通信は、ドッキングステーションに装着された個々の医療装置の状態あるいは位置、あるいはそれらの双方をモニターする中央の病院コンピュータの形態を採りうる。好適実施例において、ベースタイル２２はイーサネット（登録商標）（Ｅｔｈｅｒｎｅｔ（登録商標））システムとインタフェースするイーサネット（登録商標）回路を含む。代替的に、ベースタイル２２はＲＳ−２３２バスあるいはその他の同様のバス構成を介してその他の装置との通信に対する必要なインタフェースを含みうる。
【００３９】
図７から図９までに示すように、各ドッキングタイル２０は対称形のプレート２８に装着された標準サイズの装着レール２６を含む。好適実施例においては、プレート２８は四角である。もっとも、例えば円形のようなその他の形状も可能である。装着レール２６は標準的な高さと深さとを有している。好適実施例においては、装着レール２６の高さは約２５ミリメートルであり、深さは約１０ミリメートルである。装着レール２６は複数のスペーサ１００によってプレート２８からある距離だけ離隔されている。スペーサ１００は、装着の間、プレートが第１および第２の部分５２、５４（図３）の背面と接触しないようにプレート２８に対して装着レール２６を位置させるような寸法とされている。このように、スペーサ１００はプレート２８が装着レール２６の第１および第２のくぼみ５６、５８およびレールカム６０中への移動を阻害しないようにする。
【００４０】
プレート２８（図７）にはまた、例えば電力取出し口３０およびデータ通信ポート３２も装着されている。電力取出し口３０は医療装置の後部に位置した相補的な電力取入れ口６８（図３）と整合するようにプレート２８に位置している。ドッキングタイル２０（図７）に医療装置１２を設置する間、相補的な電力要素が相互に接続される。同様に、データ通信ポート３２が医療装置１２の後部に位置した相補的データ通信要素７０（図３）と整合するようにプレート２８に位置している。好適実施例において、相補的なデータ通信要素は赤外線（「ＩＲ」）ポートである。代替的に、通信要素は、例えばピンコネクタ、あるいは電話コネクタのように、特性的に機械的なものでもよい。
【００４１】
図８および図９に示すように、回路カード１０２はプレート２８の裏側に装着されている。回路カード１０２は個々のドッキングタイル２０の信号ポート３０、３２をベースタイル２２の対応する信号ポートに接続するための複数の回路要素を有している。電力接続に関しては、各ドッキングタイル２０はベースタイル２２を介して電力を受取る。
【００４２】
回路カードに位置した電力ラッグ１０４が電力ケーブル１０６を介してベースタイルの電源から電力を受取る。隣接するドッキングタイル２０が電力ケーブル１０６を介してデイジーチェイン方式で相互に接続されている。この電力はリレー１１０を介して電力取入れ口３０に提供される。ケーブル１０８はケーシング２４（図２）に対するアース接続を提供する。回路カード１０２はまた、医療装置内に位置した磁石３４２（図１７）によって付勢されるリレー１１０を含む。医療装置１２がドッキングタイル２０に装着されると、磁石３４２はリードスイッチ１２２を付勢させ、該リードスイッチ１２２はリレー１１０を付勢させて電力取出し口３０を介して電力を供給しうるようにさせる。リレー１１０の付勢は回路基板１０２に位置され、ドッキングタイル２０（図７）の前部から可視である赤色ＬＥＤ１２０の照射によって指示される。ＬＥＤ１２０はリレーが付勢されると照射される。リレー１１０は医療装置が存在しない場合の電力取出し口３０からの電力信号を遮断することによって安全手段として作用する。リレー１１０が故障し、作動位置において止まった場合、たとえドッキングタイル２０から医療装置１２を取り外したとしても、ＬＥＤ１２０は電力取出し口３０に電力が存在していることを指示する。
【００４３】
ダム・ドッキングステーションにおいて、リレー１１０は電力コネクタ１２６によって提供される１２ボルトの直流信号によって給電される。これらの電力コネクタ１２６はベースタイル２２から電力を受取る。電力信号はデイジーチェイン方式で隣接するドッキングタイル２０を通過する。スマート・ドッキングステーションにおいて、回路カード１０２は更に、データ通信コネクタ１１２を含む。これらのコネクタ１１２はリレー１１０に給電するよう直流電力信号を提供する。これらのコネクタ１１２はまた、データケーブル１１４と連通してＩＲポート３２とベースタイル２２のデータ通信ポート４０との間のインタフェースを提供する。隣接するドッキングタイル２０はコネクタ１１２を介して相互にデイジーチェイン方式で接続され、各ドッキングタイルとベースタイル２２に接続された通信装置との間の通信を提供する。
【００４４】
各ドッキングタイル２０は、プレート２８の各隅に位置した固定具３４によってドッキングステーションのケーシング２４（図２）に個々に装着されている。各固定具３４はねじ１１６と四角ナット１１８とを含む。四角ナット１１８は、以下詳細に説明するように、ケーシング２４に位置した四角の固定具用溝内に装嵌している。
【００４５】
ドッキングタイル２０もまた、ドッキングステーション１８の一部として含まれる代わりに壁あるいはベッドに直接装着してもよい。そのように装着された場合、電力およびデータ通信はベースタイル２２を介するのではなく、その代わりに典型的にタイルに直接提供される。電力は壁にある取出し口によって供給可能で、一方データ通信は例えばＲＳ−３２３ケーブルあるいは電話線のようなデータケーブルによって提供しうる。
【００４６】
図１０および図１１に示すように、ドッキングステーション・ケーシング２４は２個の側部２００を含む。好適実施例においては、ケーシング２４はアルミニウムから形成される。このことによって、ケーシングに対して構造上の剛性と電磁可能出力（electromagnetic capability：ＥＭＣ）遮蔽性、例えば電磁干渉（ＥＭＩ）保護、並びに軽量化を提供する。しかしながら、ケーシングは非金属性材料から作り、内側にＥＭＩスクリーンを装着し、ケーシングが金属でつくられたのと同じレベルのＥＭＩ保護をもたらすことができる。各側部２００は形状が概ね半円形であり、その全長に亘り中空である。これらの中空の側部２００がケーシング２４の剛性を提供し、一方同時に重量を軽減する。弧状の背面パネル２０２が２個の側部２００を接合している。背面パネル２０２および側部２００の接合部分２０４にはケーシング２４の全長に亘り延在する後部溝バー２０６がある。前記の後部溝バー２０６の各々の内部には溝栓帯片（channel plug strip）２０８（図１１）が挿入されている。ゴムから作ってよい溝栓帯片２０８は、ケーシングを壁あるいはその他の支持媒体に装着するには取り外して、ブラケット（図示せず）をケーシング２４の後部を亘って設置すればよい。
【００４７】
ケーシング２４の内側には中央の溝バー２１０がある。中央の溝バー２１０はアースケーブル１０８（図８）を受入れ、そのためアース結合を提供する。また、ケーシング２４の内側には、各側部２００の近傍において、ケーシング２４の全長に亘って延在するくぼみ溝バー２１２がある。前記のくぼみ溝バー２１２は断面が長方形で、先に説明したように、ドッキングタイル用固定具３４に関連した四角ナット１１８（図７）を受取るサイズとされている。ケーシング２４はまた、端キャップ４９をケーシングに固定するためのねじ２２４（図２）を受取る一対のねじを切った溝２２２を含む。
【００４８】
側部２００の内壁２１４の間の距離は、該側部２００の間に形成されたくぼみ２１５にタイルが装着しうるように、ドッキングタイルのプレート２８（図７）の幅よりも僅かに大きくなるように選択される。くぼみ溝２１２の前部とケーシングの前部２１６との間の距離、すなわちドッキングステーションの深さは、ＭＤＩ４８の整合装着部材５１の第１および第２の部分５２、５４（図３）が背面パネル７６から突出する寸法よりも僅かに大きいように選択される。従って、側部２００の間のくぼみ２１５は、例えば電力、データ通信のようなくぼみに装着すべきプレートおよび装着レールのインタフェース要素と適正に整合するよう医療装置１２の整合装着部材５１（図３）を自動的に案内するように機能する整合装着くぼみを形成する。ケーシングの前部２１６を湾曲形状とすることにより、計器のインタフェース４８がくぼみ２１５中へ押されるにつれて計器の要素をドッキングタイル２０の要素と正確、かつ自動的に整合させ易くする。このような湾曲形状が計器のインタフェース４８をくぼみ２１５中へ導こうとする。
【００４９】
図２に示す構成を参照してドッキングステーション１８の説明をしてきたが、代替的な構成も組立可能である。代替的な構成は図１２から図１４までに示されている。図１２はケーシング２４内に装着された３個のドッキングタイル２０と１個のベースタイル２２とを有するドッキングステーションを示す。ケーシング２４は頂部および底部において蓋がされており、そのような構成によって、全体組立体はケーシングの後部溝バー２０６（図１１参照）に挿入された装着ブラケットによって壁に装着するのに特に適している。特に、図１３を参照すれば、ドッキングステーション１８の頂部の水平部分が垂直部分と同じケーシングを含むことが注目される。組立ての間、ドッキングタイル２０は単に回転させ、ケーシングに並置関係で固定される。このことが可能なのは、ドッキングタイルのプレート２８が四角形であるからである。
【００５０】
前述のように、ドッキングステーション１８はケーシングの裏側に取り付けられたブラケットを使用して壁に装着しうる。代替的に、ドッキングステーション１８は図１４に示すようにスタンド２１８を含みうる。該スタンドはドッキングステーションを壁から離れた位置に位置させることができる。図１４に示すスタンドは、該スタンドが移動されている患者に随伴できるように各脚の底部に車輪を装着させることができる。ドッキングステーション１８に装着された医療装置は移動している間も連続して作動しうるようにする電池によるバックアップ電源を含む。図１５に示すように、ドッキングステーションはまた、注入流体を入れたバッグを吊るすためのフック装置２２０のようなアクセサリを含みうる。この配置におけるクランプ組立体２１９は端キャップ４９（図２）の代わりに水平ケーシング４６の端に装着される。クランプ組立体２１９がフック装置２２０の高さを制御しうる。
【００５１】
医療装置用インタフェース
図３を参照して前述したように、医療装置用ハウジングの一部を形成するか、あるいは該ハウジングに取り付けられた医療装置用インタフェース（ＭＤＩ）４８が該装置の後方に位置している。ＭＤＩは通常プラスチック製である。ＭＤＩ４８はレールカム６０とポールクランプ組立体７２とを含む。図３、図１６、および図１７を参照すれば、装着ケース５０の一部を形成する計器整合装着部材５１はドッキンングステーション２０の深さより大きくない距離でケースから後方に突出した第１の部分５２を有する。第１の部分５２はドッキングタイル２０の高さよりも大きくない高さを有し、幅はドッキングタイルの幅よりも大きくない。
【００５２】
第１の部分５２の上側部分３００に第１のくぼみ５６がある。第１のくぼみ５６は頂部分３０２と底部分３０４とを含む。頂部分３０２は２個の概ね平坦な頂面３０６と弧状の頂面３０８とによって画成されている。弧状の頂面３０８によって囲まれた第１のくぼみ５６の部分は弧状の頂部分３１０を画成する。同様に、底部分３０４は２個の概ね平坦な底面３１２と弧状の底面３１４とによって画成されている。弧状の底面３１４によって囲まれた第１のくぼみ５６の部分は弧状の底部分３１６を画成する。頂部および底部の平坦面３０６、３１２は相互に対して概ね平行である。
【００５３】
第１のくぼみ５６の高さは頂部および底部の平坦な面３０６、３１２の間の距離によって画成されている。その高さは装着レール２６の高さよりも僅かに高い。第１のくぼみ５６の深さはくぼみの背面３１８（図３）と第１の部分の面３２０との間の距離によって画成される。この深さは装着レール２６の深さよりも大きい。第１のくぼみ５６の所定の高さ、および深さにより、装着レールが第１のくぼみ内に位置され、くぼみの背面３１８に対して面一に位置された場合、装着レールは第１の部分の面３２０に対して沈む。
【００５４】
下側部分３２２における第１の部分５２の面３２０において、電力取入れ口６８、データ通信ポート７０および電位差等化コネクタ３２４が位置している。ドッキングタイルの装着レールが第１のくぼみ内に位置されると、ドッキングタイルの電力取出し口３０（図２）およびデータ通信ポート３２と整合し、かつそれらとインタフェースするように、電力取入れ口６８およびデータ通信ポート７０が、第１のくぼみ５６に対して、第１の部分の面３２０に位置される。電力取入れ口６８の上方に位置したルーフ３４４が、医療装置１２が単独の形態（a stand alone configuration）で使用された場合、すなわちドッキングステーションを備えていない場合、電力をショートさせる危険性を低下させるために流体が電力取入れ口に入らないように作用する。
【００５５】
第１のくぼみ５６の背面３１８は、その頂部分および底部分が前記の頂部および底部弧状の面３０８、３１４と整合するように位置した円形の切り欠き部を含んでいる。円形の切り欠き部内にレールカム６０が位置している。図１８ａから図１８ｅまでに示すように、レールカム６０は円形のカムベース４００を含んでおり、前記カムベースは、その面４０２が第１のくぼみ５６の後面３１８と概ね準面一となるように前記の円形切り欠き部内に装嵌する。「準面一（ｓｕｂｆｌｕｓｈ）」という用語はカムベース４０２が背面３１８の僅かな距離下方に位置することを意味する。このことによって、装着レール２６がカムベース４０２の面でなく、むしろ背面３１８と確実に接触するようにさせることによって、装着レール２６と何ら摩擦接触を経験することなくレールカム６０が閉鎖／ロック位置へ自在に回転しうるようにする。カムベース４００は前記切り欠き部内で枢動するように装着されている。一対の対向するアーム６２がカムベース４００の周囲の近傍に位置し、カムベースの面４０２に対して概ね垂直に突出している。
【００５６】
各アーム６２はロック面４０６を画成しているアームベース４０４を含む。アーム６２は、２個の対向するロック面４０６の間の距離が該ロック面の間に装着レールを位置させることができるように装着レール２６の高さより僅かに大きいようにカムベース４００に位置している。各アーム６２はまた、解放面４１２も画成する。各アーム６２は更に、アームベース４０４の頂部に位置した案内部分６４を含む。前記案内部分６４はアームベース４０４の外周近傍の第１の高さからアームベースの外周に対して内方の第２の高さまで下方へ傾斜がついた第１の部分４０８を含む。第２の高さは第１の高さより小さい。
【００５７】
案内部分６４は更に、第１の部分４０８に隣接した第２の部分４１０を含む。第２の部分４１０はロック面４０６の上方でアームベース４０４から外方へ延びており、装着レール２６を保持するリップとして作用する。アーム６２は、図１８ｅに最良に示されているように、カムベース４００の面４０２と第２の部分４１０の底との間の距離が装着レール２６の深さと概ね等しく、図１８ａに最良に示されているように、対向する第２の部分４１０の間の距離が装着レールの高さより小さいように寸法が決められている。従って、装着レール２６はレールカム６０内に装嵌され、第２の部分４１０によってレールカム内に保持される。
【００５８】
図３および図１６を参照すれば、レールカム６０は、閉鎖／ロック位置と開放／受入れ／解放位置との間で回転するように切り欠き部内で方向付けられている。図３において、レールカムは閉鎖／ロック位置に示されている。この位置にあると、各アーム６２のロック面４１０（図１８ｄ）は第１のくぼみの頂面および底面３０６、３１２と概ね面一であり、各アームの第２の部分４１０は頂面と底面との間の空間中へ延びる。レールカムが開放／受入れ／解放位置にあると、各アームの解放面４１２は第１のくぼみの頂面および底面３０６、３１２とそれぞれ概ね面一であり、各アーム６２の第２の部分４１０は、それぞれ頂部と底部の弧状部分３１０、３１６内に位置され、従って頂面と底面との間の空間の外にある。好適実施例において、レールカム６０はプラスチックから形成され、２０から３０ポンド（９から１３．５キログラム）の間の重量を支持することができる。より重い重量を支持するには、レールカムは金属製とすればよい。
【００５９】
図１６および図１７に示すように、ＭＤＩ４８は更に、レールカム６０に結合されたレバー組立体３２６を含む。レバー組立体３２６はＭＤＩの外側に位置した外部の解放レバー６６を含む。外部の解放レバー６６はＭＤＩの内側において外部の解放レバーの下方に位置した内部解放レバー３２８に結合されている。レバー組立体３２６は更に、レールカム６０に結合され、ＭＤＩの内側に位置したレールカムレバー３３０を含む。レールカムレバー３３０はばね３３４によって閉鎖／ロック位置に弾圧される。レールカムレバー３３０および内部解放レバー３２８は解放リンク機構３３２によって相互に結合されている。外部の解放レバー６６が回転すると内部の解放レバー３３２を回転させ、それは解放リンク機構３３２を移動させる。解放リンク機構３３２の移動によってレールカムレバー３３０をばね３３４の力に抗して回転させ、その結果レールカム６０を回転させる。レバー６６が移動するとレールカム６０をその閉鎖／ロック位置から開放／受入れ／解放位置まで回転させる。
【００６０】
図３、図１６および図１７を参照すれば、装着ケース５０は該ケースから後方に突出している第２の部分５４を有している。第２の部分５４は概ね平坦な頂面３３６と概ね平坦な底面３３８とによって画成された第２のくぼみ５８を含む。第２のくぼみ５８は高さが頂部および底部の平坦面３３６、３３８の間の距離によって画定される。第１のくぼみ５６と同様に、第２のくぼみ５８の高さは装着レール２６の高さよりも僅かに大きい。第２のくぼみ５８は、装着レール２６が同時に双方のくぼみ内に位置しうるように第１のくぼみと整合している。第１の部分５２と第２の部分５４とはその間にポールクランプ組立体７２の一部を位置させうるように離隔している。第１の部分５２と第２の部分５４との間にはポールクランプ用くぼみ３４０が位置している。ポールクランプ用くぼみ３４０は全体的に弧状の面を有し、ポールクランプ組立体の一部を受け入れるような寸法および方向とされている。
【００６１】
図１９ａから図１９ｄを参照すれば、ポールクランプ組立体７２はブラケット５００と、枢動部材５０２と、ねじを切ったポスト５０４とを含む。前記ポスト５０４はねじを切ったスタッド５０６とハンドル５０８とを含む。ブラケット５００は典型的に第１および第２の部分５２、５４の近傍でＭＤＩ４８の裏面パネル７２（図３）に装着されている。枢動部材５０２は全体的にＬ字形に形成され、第１の脚５１０と第２の脚５１２とを含む。第１の脚５１０は、枢動部材５０２が開放位置（図１９ａおよび図１９ｃ）と閉鎖位置（図１９ｂおよび図１０ｄ）との間で移動可能なようにブラケット５００に枢着されている。第２の脚５１２は、ねじスタッド５０６を受入れ、スタッドが軸線方向に移動しうるようにするためねじ孔を有している。
【００６２】
図１９ｃに示すように、ブラケット５００は全体的にＶ字形の断面を有している。Ｖ字形の頂点に断面が半円形で、軸線５１６を備えたスタッド用くぼみ５１４がある。枢動部材の第２の脚５１２は、ポールクランプ組立体７２が閉鎖位置にある場合、スタッドの軸線がスタッド用くぼみの軸線５１６と概ね平行となるようにブラケット５００上で延在するよう第１の脚５１０に対して位置している。ポールクランプ組立体が閉鎖位置にあるとき、ポストの軸線はスタッド用くぼみの軸線５１６に対して概ね垂直となる。
【００６３】
ハンドル５０８はスタッド５０６の一端に位置され、ポールクランプ３４０（図３）の弧状面の湾曲形状に概ね適合する形状とされた両側の湾曲した側部５１８を含む。ハンドル５０８は更に対向する丸い端部５２０を含むような形状とされている。枢動部材５０２が閉鎖位置にあると、ハンドル５０８の一部とスタッド５０６とは、スタッドの一部がスタッド用くぼみ５１４内に載置された状態でポールクランプくぼみ３４０内に位置する。ポールクランプ組立体の要素は金属製であって、押出し成形あるいは鋳造によって作ることができる。
【００６４】
前述し、図４で示したように、医療装置１２は第１のくぼみ５６と第２のくぼみ５８とを目で見て装着レールに整合させることによって装着レール２６に固定される。一旦整合すると、レールカム６０は装着レール２６に対して押される。レールカム６０の傾斜した案内部分６４に対する装着レール２６の力によってレールカムをその開放／受入れ位置へ回転させる。この位置において、装着レールはアームベース４０４の間の空間へ滑り込むことが可能であり、ロック面４０６と第１および第２のくぼみ５６、５８の頂面と底面との間で載置されるようになる。
【００６５】
一旦装着レール２６がレールカム６０内に位置すると、カムはその閉鎖／ロック位置に復帰し、アームの第２の部分４１０が医療装置１２をレールに対して保持する。前記装置１２をレールカムから取り外すには、外部の解放レバー６６を作動させてレールカム６０を、その間にアーム６２の第２の部分４１０が頂部および底部の弧状部分３１０、３１６中へ移動する開放／解放位置まで回転するようにさせることによって医療装置を装着レール２６から外しうるようにする。
【００６６】
装着レール２６に医療装置１２を設置する間、ハンドル５０８は前記の丸みをつけた端部５２０の一方が装着レールに面するような方向とすればよい。そのような方向とされると、ハンドル５０８は、装着レールがくぼんだ部分５６、５８へ入るにつれて該装着レール２６と接触することによって先ず装着工程と干渉しうる。しかしながら、ハンドルの端部５２０が丸みのついた形状とされているため、前記の丸みのついた端部５２０と装着レール２６との間で接触することから発生する力をハンドルの回転運動に簡単に変換する。丸みのついた端部は、ハンドル５０８を回している間装着レールの面に沿って摺動することによって、ハンドルの湾曲した側部５１８の一方がポールクランプ用くぼみ３４０（図３）を画成している弧状面と全体的に整合するようにハンドルを方向付ける。
【００６７】
前述し、図５に示したように、医療装置１２はポールクランプ組立体７２を使用することによってポール７４に装着させることができる。そうするためには、ポールクランプ組立体７２のアーム８２がその開放位置まで枢動する。ポール７４がポールクランプ組立体用のくぼみ３４０（図１６）とブラケット５００（図１９ａ）内に位置するように、医療装置１２はポール７４に位置される。次いで、ポストの先端がポールと接触するまでねじを切ったポスト８４を回転させることによって計器１２をポール７４に締め付ける。
【００６８】
前述した説明から、本発明の特定の形態を図示し、かつ説明してきたが、本発明の精神と範囲とから逸脱することなく種々の修正が可能であることが明らかである。従って、本発明は特許請求の範囲による以外は限定されることはない。
【図１】
2011104409.tif 000003
【図２】
2011104409.tif 000004
【図３】
2011104409.tif 000005
【図４ａ】
2011104409.tif 000006
【図４ｂ】
2011104409.tif 000007
【図５】
2011104409.tif 000008
【図６】
2011104409.tif 000009
【図７】
2011104409.tif 000010
【図８】
2011104409.tif 000011
【図９】
2011104409.tif 000012
【図１０】
2011104409.tif 000013
【図１１】
2011104409.tif 000014
【図１２】
2011104409.tif 000015
【図１３】
2011104409.tif 000016
【図１４】
2011104409.tif 000017
【図１５】
2011104409.tif 000018
【図１６】
2011104409.tif 000019
【図１７】
2011104409.tif 000020
【図１８ａ】
2011104409.tif 000021
【図１８ｂ】
2011104409.tif 000022
【図１８ｃ】
2011104409.tif 000023
【図１８ｄ】
2011104409.tif 000024
【図１８ｅ】
2011104409.tif 000025
【図１９ａ】
2011104409.tif 000026
【図１９ｂ】
2011104409.tif 000027
【図１９ｃ】
2011104409.tif 000028
【図１９ｄ】
2011104409.tif 000029